【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
処理構造上でフィードバック情報を提供するための方法であって、
前記フィードバック情報に関連する入力ビットの集合を生成するステップと、
符号化された出力ビットの集合を作成するために、前記入力ビットの集合を符号化するステップと、
スクランブルされた出力ビットの集合を作成するために、前記符号化された出力ビットの集合を、スクランブルシーケンスを使用してスクランブルするステップと、
変調シンボルのブロックを作成するために、前記スクランブルされた出力ビットの集合を変調するステップと、
拡散符号を前記変調シンボルのブロックに適用するステップと、
を備えることを特徴とする方法。
【請求項２】
前記スクランブルシーケンスは、無線送受信ユニットの識別子および１つまたは複数のセル識別子のうちの少なくとも１つの関数として得られることを特徴とする請求項１に記載の方法。
【請求項３】
前記スクランブルされた出力ビットの集合は、前記変調シンボルのブロックを作成するために４相位相変調（ＱＰＳＫ）を使用して変調されることを特徴とする請求項１に記載の方法。
【請求項４】
前記拡散符号は、長さ５の直交拡散符号を含むことを特徴とする請求項１に記載の方法。
【請求項５】
前記長さ５の直交拡散符号は、[+1 +1 +1 +1 +1]，[+1   ej2π/5  ej4π/5  ej6π/5  ej8π/5]，[+1   ej4π/5  ej8π/5  ej2π/5  ej6π/5]，[+1   ej6π/5  ej2π/5  ej8π/5  ej4π/5]，および [+1   ej8π/5  ej6π/5  ej4π/5  ej2π/5] のうちの少なくとも１つを含むことを特徴とする請求項４に記載の方法。
【請求項６】
前記拡散符号は、長さ４のウォルシュ−アダマール拡散符号を含むことを特徴とする請求項４に記載の方法。
【請求項７】
前記長さ４のウォルシュ−アダマール拡散符号は、[+1 +1 +1 +1]，[+1 -1 +1 -1]，[+1 -1 -1 +1]，および [+1 +1 -1 -1] のうちの少なくとも１つを含むことを特徴とする請求項６に記載の方法。
【請求項８】
物理アップリンク制御チャネル（ＰＵＣＣＨ）肯定応答／否定応答（ＡＣＫ／ＮＡＣＫ）リソースインデックスを使用して前記処理構造についてのリソースを決定するステップをさらに備えることを特徴とする請求項１に記載の方法。
【請求項９】
前記拡散符号は、インデックスに基づいて選択され、前記インデックスは、前記ＰＵＣＣＨ  ＡＣＫ／ＮＡＣＫリソースインデックスに基づいて決定されることを特徴とする請求項８に記載の方法。
【請求項１０】
前記処理構造についてのリソースを決定するステップは、
スロットでの前記処理構造上における送信のために使用されるように構成された物理リソースブロックを決定するステップを備えることを特徴とする請求項８に記載の方法。
【請求項１１】
前記スロットは、ｎsと定義され、ｎsにおいて使用されるように構成された物理リソースブロックは、以下の通りに生成され、
【数１】
2013507067.tif 000001
2013507067.tif 000002
【請求項１２】
前記入力ビットの集合は、スケジューリング要求で多重化されたハイブリッド自動再送要求（ＨＡＲＱ）肯定応答（ＡＣＫ）を含むことを特徴とする請求項１に記載の方法。
【請求項１３】
基準信号を生成するステップと、
特定の送信アンテナ上の前記基準信号に対する巡回シフトを導出するステップと、
前記巡回シフトを適用するステップと、
をさらに備えることを特徴とする請求項１に記載の方法。
【請求項１４】
前記基準信号、前記入力ビットの集合、前記符号化された出力ビットの集合、前記スクランブルされた出力ビットの集合、および拡張巡回プレフィックス（ＣＰ）を使用した前記シンボルのブロック、のうちの少なくとも１つを送信するステップをさらに備えることを特徴とする請求項１３に記載の方法。
【請求項１５】
予め定められたホッピングパターンに従って、時間領域直交符号を適用するステップをさらに備えることを特徴とする請求項１に記載の方法。
【請求項１６】
前記符号化された出力ビットの集合にレートマッチングを適用するステップをさらに備えることを特徴とする請求項１に記載の方法。
【請求項１７】
処理構造上でフィードバック情報を提供するように構成された無線送受信ユニットであって、
前記フィードバック情報に関連する入力ビットの集合を生成し、
符号化された出力ビットの集合を作成するために、前記入力ビットの集合を符号化し、
スクランブルされた出力ビットの集合を作成するために、前記符号化された出力ビットの集合を、スクランブルシーケンスを使用してスクランブルし、
変調シンボルのブロックを作成するために、前記スクランブルされた出力ビットの集合を変調し、
拡散符号を前記変調シンボルのブロックに適用する
ように構成されたプロセッサ
を備えることを特徴とする無線送受信ユニット。
【請求項１８】
前記スクランブルシーケンスは、無線送受信ユニットの識別子および１つまたは複数のセル識別子のうちの少なくとも１つの関数として得られることを特徴とする請求項１７に記載の無線送受信ユニット。
【請求項１９】
前記スクランブルされた出力ビットの集合は、前記変調シンボルのブロックを作成するために４相位相変調（ＱＰＳＫ）を使用して変調されることを特徴とする請求項１７に記載の無線送受信ユニット。
【請求項２０】
前記拡散符号は、長さ５の直交拡散符号を含むことを特徴とする請求項１７に記載の無線送受信ユニット。
【請求項２１】
前記長さ５の直交拡散符号は、[+1 +1 +1 +1 +1]，[+1   ej2π/5  ej4π/5  ej6π/5  ej8π/5]，[+1   ej4π/5  ej8π/5  ej2π/5  ej6π/5]，[+1   ej6π/5  ej2π/5  ej8π/5  ej4π/5]，および [+1   ej8π/5  ej6π/5  ej4π/5  ej2π/5] のうちの少なくとも１つを含むことを特徴とする請求項２０に記載の無線送受信ユニット。
【請求項２２】
前記拡散符号は、長さ４のウォルシュ−アダマール拡散符号を含むことを特徴とする請求項２０に記載の無線送受信ユニット。
【請求項２３】
前記長さ４のウォルシュ−アダマール拡散符号は、[+1 +1 +1 +1]，[+1 -1 +1 -1]，[+1 -1 -1 +1]，および [+1 +1 -1 -1] のうちの少なくとも１つを含むことを特徴とする請求項２２に記載の無線送受信ユニット。
【請求項２４】
前記プロセッサは、
物理アップリンク制御チャネル（ＰＵＣＣＨ）肯定応答／否定応答（ＡＣＫ／ＮＡＣＫ）リソースインデックスを使用して前記処理構造についてのリソースを決定するようにさらに構成されたことを特徴とする請求項１７に記載の無線送受信ユニット。
【請求項２５】
前記拡散符号は、インデックスに基づいて選択され、前記インデックスは、前記ＰＵＣＣＨ  ＡＣＫ／ＮＡＣＫリソースインデックスに基づいて決定されることを特徴とする請求項２４に記載の無線送受信ユニット。
【請求項２６】
前記プロセッサは、
スロットでの前記処理構造上における送信のために使用されるように構成された物理リソースブロックを決定するようにさらに構成されたことを特徴とする請求項２４に記載の無線送受信ユニット。
【請求項２７】
前記スロットは、ｎsと定義され、ｎsにおいて使用されるように構成された物理リソースブロックは、以下の通りに生成され、
【数２】
2013507067.tif 000003
2013507067.tif 000004
【請求項２８】
前記入力ビットの集合は、スケジューリング要求で多重化されたハイブリッド自動再送要求（ＨＡＲＱ）肯定応答（ＡＣＫ）を含むことを特徴とする請求項１７に記載の無線送受信ユニット。
【請求項２９】
前記プロセッサは、
前記入力ビットの集合、前記符号化された出力ビットの集合、前記スクランブルされた出力ビットの集合、および前記処理構造上の前記シンボルのブロック、のうちの少なくとも１つとともに送信されるように構成された基準信号を生成し、
特定の送信アンテナ上の前記基準信号に対する巡回シフトを導出し、
前記巡回シフトを適用する
ようにさらに構成されたことを特徴とする請求項１７に記載の無線送受信ユニット。
【請求項３０】
前記プロセッサは、
前記基準信号と、
前記入力ビットの集合、前記符号化された出力ビットの集合、前記スクランブルされた出力ビットの集合、および拡張巡回プレフィックス（ＣＰ）を使用した前記シンボルのブロックのうちの少なくとも１つと、
のうちの少なくとも１つを送信するようにさらに構成されたことを特徴とする請求項２９に記載の無線送受信ユニット。
【請求項３１】
前記プロセッサは、
予め定められたホッピングパターンに従って、時間領域直交符号を適用するようにさらに構成されたことを特徴とする請求項１７に記載の無線送受信ユニット。
【請求項３２】
前記プロセッサは、
前記符号化された出力ビットの集合にレートマッチングを適用するようにさらに構成されたことを特徴とする請求項１７に記載の無線送受信ユニット。